(57)【要約】      （修正有）【課題】使用済みとなった縦置きのティッシュボックスを横置きに移行させて次のごみ箱として使用することができるティッシュボックスのホルダを提供する。【解決手段】ティッシュボックスのホルダは、底壁および底壁の両側に設けた側壁とからなる空のティッシュボックス用支持本体と、側壁上に立ち上げたティッシュ入りのティッシュボックス用支持部とを備える。支持部および支持本体にそれぞれティッシュ入りのティッシュボックスと空のティッシュボックスとを着脱自在に取り付けて、ティッシュ入りのティッシュボックスの使用済みティッシュを空のティッシュボックス内に廃棄し、ティッシュ入りのティッシュボックスが空になったら使用済みティッシュを満たした空のティッシュボックスを取り出して入れ替え、新しいティッシュ入りのティッシュボックスを空いた側壁の間にセットする。【選択図】図２
0003167000.tif 000002
【実用新案登録請求の範囲】
【請求項１】
底壁および底壁の両側に設けた側壁とからなる空のティッシュボックス用支持本体と、前記側壁上に立ち上げたティッシュ入りのティッシュボックス用支持部とを備え、前記支持部および支持本体にそれぞれティッシュ入りのティッシュボックスと空のティッシュボックスとを着脱自在に取り付けて、前記ティッシュ入りのティッシュボックスの使用済みティッシュを空のティッシュボックス内に廃棄し、前記ティッシュ入りのティッシュボックスが空になったら前記使用済みティッシュを満たした空のティッシュボックスを取り出して入れ替え、新しいティッシュ入りのティッシュボックスを空いた側壁の間にセットするようにしたことを特徴とするティッシュボックスのホルダ。
【請求項２】
前記支持本体および支持部は、両辺にはめ込みガイドを備えた前記支持部を支持本体の側辺上から立ち上げたＬ字形としたことを特徴とする請求項１に記載のティッシュボックスのホルダ。
【請求項３】
前記支持本体および支持部は、前記支持部を支持本体の両側辺から立ち上げた一対の挟着片からなる挟着式とし、かつ挟着片下部の支持部の間に首振り用軸棒を差し渡して固定して、首振り用軸棒の上にはめ込んだティッシュボックスを首振り可能に保持できるようにしたことを特徴とする請求項１に記載のティッシュボックスのホルダ。
【請求項４】
前記ティッシュボックスは、その上面の開放部分から四隅に延びる易切開線を形成されており、空になったときに前記易切開線から切り開いて前記ティッシュボックスの上面を開放し、使用済みティッシュをより多く投入することができるようにしたことを特徴とする請求項１に記載のティッシュボックスのホルダ。
【請求項５】
前記支持部は、その適所に取付孔を形成されており、該取付孔を壁面に突設したフックに係合して壁掛け式とすることができるようにしたことを特徴とする請求項１に記載のティッシュボックスのホルダ。
【考案の詳細な説明】
【技術分野】
【０００１】
本考案は、使用済みの空のティッシュボックスをごみ箱として使用することができるようにしたティッシュボックスのホルダに関する。
【背景技術】
【０００２】
従来、ティッシュボックスの使用済みティッシュはごみ箱に廃棄されていたが、ティッシュボックスの近くにごみ箱を設置することにより、より便宜で衛生的にも配慮されたものとする提案が種々行われてきている。
【０００３】
そして、ティッシュボックスにごみ箱を併設した先行技術としては、下記のようなものが知られている。
１）ティッシュボックス自体にごみ箱を併設したもの
実開平５−８２８７６（特許文献１参照）ほか
２）  ホルダ内にボックスとごみ箱を併設したもの
実開昭５７−１３４８１（特許文献２参照）
実開平６−５９２７２（特許文献３参照）
特開平８−２１７２０２（特許文献４参照）ほか
３）ホルダの上下にボックスとごみ箱を配置したもの
実開昭５６−１７３５０２（特許文献５参照）
実開昭６２−３３５７８（特許文献６参照）
実開平２−９７３０２（特許文献７参照）
特開平９−２７６１１８（特許文献８参照）ほか
４）ホルダにボックスとごみ箱を２段に配置したもの
実開昭６１−１４５７０３（特許文献９参照）
実開昭６３−２６６０７（特許文献１０参照）
実開平１−８５３０１（特許文献１１参照）
実用新案登録第３１５１４９６（特許文献１２参照）ほか
【０００４】
しかしながら、いずれの先行技術も、Ｌ字形ホルダに縦置きのティッシュ入りティッシュボックスと横置きの空のティッシュボックスとを配置し、使用済みとなった縦置きのティッシュボックスを横置きに移行させて次のごみ箱として使用することができるようにした循環式のティッシュボックスのホルダに関するものではない。
【先行技術文献】
【特許文献】
【０００５】
【特許文献１】実開平５−８２８７６
【特許文献２】実開昭５７−１３４８１
【特許文献３】実開平６−５９２７２
【特許文献４】特開平８−２１７２０２
【特許文献５】実開昭５６−１７３５０２
【特許文献６】実開昭６２−３３５７８
【特許文献７】実開平２−９７３０２
【特許文献８】特開平９−２７６１１８
【特許文献９】実開昭６１−１４５７０３
【特許文献１０】実開昭６３−２６６０７
【特許文献１１】実開平１−８５３０１
【特許文献１２】実用新案登録第３１５１４９６
【考案の開示】
【考案が解決しようとする課題】
【０００６】
したがって、この考案の目的するところは、Ｌ字形ホルダに縦置きのティッシュ入りティッシュボックスと横置きの空のティッシュボックスとを配置し、使用済みとなった縦置きのティッシュボックスを横置きに移行させて次のごみ箱として使用することができるようにした循環式のティッシュボックスのホルダを提供することにある。
【課題を解決するための手段】
【０００７】
すなわち、この考案のティッシュボックスのホルダは、底壁および底壁の両側に設けた側壁とからなる空のティッシュボックス用支持本体と、前記側壁上に立ち上げたティッシュ入りのティッシュボックス用支持部とを備え、前記支持部および支持本体にそれぞれティッシュ入りのティッシュボックスと空のティッシュボックスとを着脱自在に取り付けて、前記ティッシュ入りのティッシュボックスの使用済みティッシュを空のティッシュボックス内に廃棄し、前記ティッシュ入りのティッシュボックスが空になったら前記使用済みティッシュを満たした空のティッシュボックスを取り出して入れ替え、新しいティッシュ入りのティッシュボックスを空いた側壁の間にセットするようにしたことを特徴とするものである。
【０００８】
この考案のティッシュボックスのホルダは、前記支持本体および支持部は、両辺にはめ込みガイドを備えた前記支持部を支持本体の側辺上から立ち上げたＬ字形としたことをも特徴とするものである。
【０００９】
この考案のティッシュボックスのホルダは、前記支持本体および支持部は、前記支持部を支持本体の両側辺から立ち上げた一対の挟着片からなる挟着式とし、かつ挟着片下部の支持部の間に首振り用軸棒を差し渡して固定して、首振り用軸棒の上にはめ込んだティッシュボックスを首振り可能に保持できるようにしたことをも特徴とするものである。
【００１０】
この考案のティッシュボックスのホルダは、前記ティッシュボックスが、その上面の開放部分から四隅に延びる易切開線を形成されており、空になったときに前記易切開線から切り開いて前記ティッシュボックスの上面を開放し、使用済みティッシュをより多く投入することができるようにしたことをも特徴とするものである。
【００１１】
この考案のティッシュボックスのホルダは、前記支持部が、その適所に取付孔を形成されており、該取付孔を壁面に突設したフックに係合して壁掛け式とすることができるようにしたことをも特徴とするものである。
【考案の効果】
【００１２】
本考案のティッシュボックスのホルダによれば、前記ティッシュ入りのティッシュボックスの使用済みティッシュを空のティッシュボックス内に廃棄し、前記ティッシュ入りのティッシュボックスが空になったら前記使用済みティッシュを満たした空のティッシュボックスを取り出して入れ替え、新しいティッシュ入りのティッシュボックスを空いた側壁の間にセットすることができるようにしたので、順次スムーズに入れ替えることが可能で、かつ使用済みティッシュを満たした空のティッシュボックスを常に新しく入れ替えて使用でき、非常に衛生的である。
【００１３】
また、前記ティッシュボックスに上面の開放部分から四隅に延びる易切開線を形成し、空になったときに前記易切開線から切り開いて前記ティッシュボックスの上面を開放して、使用済みティッシュをより多く投入することができるようにすれば、前記ティッシュ入りのティッシュボックスと空のティッシュボックスとをほぼ１対１で効率よく使用することができる。
【００１４】
なお、前記ティッシュ入りのティッシュボックスと空のティッシュボックスとを支持部もしくは支持本体に収納して互いに垂直に突き当てるように取り付ければ、互いのティッシュボックスを支持部および支持本体に強固に保持することができ、また互いに所定の間隔をあけて取り付ければ、空のティッシュボックスをごみ箱として使いやすくなる。
【図面の簡単な説明】
【００１５】
【図１】本考案に係るティッシュボックスのホルダの一実施形態を示す斜視図である。
【図２】ティッシュボックスをはめ込む前のティッシュボックスのホルダを示す斜視図である。
【図３】支持本体に空のティッシュボックスをセットした状態を示す斜視図である。
【図４】ティッシュ入りのティッシュボックスと空のティッシュボックスとをセットした状態を示す斜視図である。
【図５】使用状態を示す説明図である。
【図６】他の実施形態を示す説明図である。
【図７】別の実施形態を示す説明図である。
【図８】さらに別の実施形態を示す説明図である。
【考案を実施するための形態】
【００１６】
以下、この考案のティッシュボックスのホルダの実施形態を図面に基いて詳細に説明する。
図１においてこの実施形態におけるティッシュボックスのホルダ１１は、底壁１４および底壁１４の両側に設けた側壁１５−２とからなる空のティッシュボックス用支持本体１２と、前記側壁１５−２よりも上部に立ち上げた、両辺にはめ込みガイド１５−１を備えたティッシュ入りのティッシュボックス用の板状支持部１３とを備えたＬ字形に形成されている。
【００１７】
前記支持本体１２と支持部１３とはほぼ同じ長さとすることも、また一方を他方よりも短くすることもできる。
前記支持本体１２と支持部１３の開放端部には、ハ字状に外向きに広がるテーパ面２２が形成してあるので、当該開放端部の側からティッシュボックス２１を前記支持本体１２と支持部１３に無理なく挿入することができる。
なお、前記支持本体１２上面と支持部１３前面をもテーパ面としておけば、ティッシュボックス２１を真上から押し込むことができるので、ティッシュボックス２１のはめ込みがきわめて容易となる。
【００１８】
またこの実施形態のティッシュボックスのホルダ１１は、前記支持部１３が、その適所にだるま状の開口部を有する取付孔２３を形成されているので、該取付孔２３を室内等の壁面に突設したフック（図示せず）に係合すれば壁掛け式としても使用することができる。
【００１９】
この考案においては、ティッシュボックス２１として上面取出し式のものを利用することが必要である。
そして、前記はめ込みガイド１５−１および側壁１５−２の間隔を既存のティッシュボックス２１の幅とほぼ等しい幅に形成しておけば、図２ないし図４のように前記はめ込みガイド１５−１間および側壁１５−２間に上面取出し式のティッシュボックス２１をスムーズにはめ込むことができる。
先ず図２の状態から、図３のように前記支持本体１２に空のティッシュボックス２１を取り付け、図４のようにティッシュ入りのティッシュボックス２１をその上から支持部１３の目印３３位置まで押し下げて取り付ければ、図５のように前記ティッシュ入りのティッシュボックス２１の使用済みティッシュを空のティッシュボックス２１内に廃棄することにより、簡便かつ迅速に使用済みのティッシュを廃棄することができる。
【００２０】
次に、前記ティッシュ入りのティッシュボックス２１が空になったら前記使用済みティッシュを満たした空のティッシュボックス２１を支持本体１２の側壁１５−２の間から取り出して廃棄し、空になった前記ティッシュ入りのティッシュボックス２１を支持本体１２に入れ替え、新しいティッシュ入りのティッシュボックス２１を空いた前記支持部１３のはめ込みガイド１５−１間にセットする。
この実施形態においては、空のティッシュボックス２１を支持本体１２上に押し込んだ上、前記支持部１３にティッシュ入りのティッシュボックス２１をはめ込んでいるが、ティッシュボックス２１の挿入順序を逆にしてもよい。
前記ティッシュ入りのティッシュボックス２１と空のティッシュボックス２１とを支持部１３もしくは支持本体１２に収納して互いに垂直に突き当てるように取り付ければ、互いのティッシュボックス２１を支持部１３および支持本体１２に強固に保持することができ、また互いに所定の間隔をあけて取り付ければ、空のティッシュボックス２１をごみ箱として使いやすくすることができる。
【００２１】
図６は他の実施形態を示す説明図である。
すなわち、この実施形態のティッシュボックスのホルダは、前記ティッシュボックス２１が、図６のように上面の開放部分から四隅に延びるミシン目等の易切開線３１を形成されており、空になったときに前記易切開線３１から切り開いて前記ティッシュボックス２１の上面を開放し、使用済みティッシュをより多く投入することができるようにしてもよい。
その場合には、易切開線３１で開放された前記ティッシュボックス２１の上面片３２を、前記支持本体１２の側壁１５−２の端部にはめ込み溝等を設けて差し込むようにすれば、上面の開口部分を確実に保持させることができる。
【００２２】
図７は別の実施形態を示す説明図である。
この実施形態のティッシュボックスのホルダは、前記ティッシュボックス２１が、図７のように上面の開放部分から四隅に延びるミシン目等の易切開線３１を形成されており、空になったときに前記易切開線３１から切り開いて前記ティッシュボックス２１の上面を開放する。また前記ティッシュボックス２１の下面にも四隅に延びるミシン目等の易切開線を形成しておき、これを切り開いて前記ティッシュボックス２１の下面をも開放する。このようにして、使用済みティッシュをさらに多く投入することができるようにすることができる。
なお、３４は前記側壁１５−２の内面の底壁１４から所定の高さの位置に形成した横桟であり、前記ティッシュボックス２１を底壁１４に対して間隙をあけて保持するためのものである。
【００２３】
図８はさらに別の実施形態を示す説明図である。
この実施形態のティッシュボックスのホルダ４１は、クリップ状の支持部４３を支持本体４２の両側壁４４−２から一対立ち上げた一対の挟着片からなる挟着式としたものである。したがって、コンパクトなティッシュボックスのホルダとすることができ、テーブル上等に載置しやすいホルダを提供することができる。
【００２４】
なお図８において、４５はティッシュボックス５１を挟着するための滑り止め用ゴムシート、また４６は一対のクリップ状の支持部４３の間に差し渡して固定した首振り用軸棒であり、前記ティッシュボックス５１を当該首振り用軸棒４６上に搭載して滑り止め用ゴムシート４５で挟着すれば、前記ティッシュボックス５１をスイングさせつつ任意の角度で保持することができ、ティッシュペーパーの取り出しや空のティッシュボックス５１への投入が非常にしやすくなるのである。
なお、図８において４８は横桟４７の端部から立ち上げたストッパであり、前記ティッシュボックス５１を横桟４７上にはめ込んだ後、簡単には抜け落ちないようにするためのものである。
【産業上の利用可能性】
【００２５】
以上、本考案に係るティッシュボックスのホルダの特定の実施形態及び実施例について説明したが、本考案はこれらに限定されるものではなく、当業者が容易に行うことができる種々の変形も本考案の範囲に含まれる。
例えば、前記実施形態のティッシュボックスのホルダにおいては、ティッシュボックスをその長さ方向に沿って両側壁間にスライド式に挿入する場合を説明したが、横向きにして両側壁間にスライド式に挿入するようにしてもよい。
また本考案のティッシュボックスのホルダは、室内だけでなく、車室内、あるはベッドの側面等に設置することができ、取付孔に代えて両面テープ等を使用してもよい。
【符号の説明】
【００２６】
１１  ティッシュボックスのホルダ
１２  支持本体
１３  支持部
１４  底壁
１５−１  はめ込みガイド
１５−２  側壁
２１  ティッシュボックス
２２  テーパ面
２３  取付孔
３１  易切開線
３２  上面片
３３  目印
３４  横桟
４１  ティッシュボックスのホルダ
４２  支持本体
４３  支持部
４４−２  側壁
４５  滑り止め用ゴムシート
４６  首振り用軸棒
４７  横桟
４８  ストッパ
５１  ティッシュボックス
【図１】
0003167000.tif 000003
【図２】
0003167000.tif 000004
【図３】
0003167000.tif 000005
【図４】
0003167000.tif 000006
【図５】
0003167000.tif 000007
【図６】
0003167000.tif 000008
【図７】
0003167000.tif 000009
【図８】
0003167000.tif 000010